(57)【要約】【課題】建物内で発生する熱の有効利用を図り、ひいては建物におけるエネルギ効率を向上させる。【解決手段】建物１０において、一階部分には一階・二階吹抜けのダイニングキッチン１２が設けられ、二階部分にはダイニングキッチン１２の二階吹抜け部を囲むようにして居室２１〜２４が設けられている。ダイニングキッチン１２には、加熱調理機器１６ａを備えてなるキッチン設備１６が設置されている。各居室２１〜２４には、ダイニングキッチン１２に通じる開口部２１ｂ〜２４ｂが形成され、その開口部２１ｂ〜２４ｂにそれぞれ開閉部材２１ｃ〜２４ｃが設けられている。つまり、ダイニングキッチン１２内で発生した熱が、開口部２１ｂ〜２４ｂを通じて二階の各居室２１〜２４に移動する構成となっている。【選択図】      図１
2008285913.tif 000002
【特許請求の範囲】
【請求項１】
低床空間部と、その低床空間部よりも床位置が高い高床空間部とを水平方向に隣接させて設けるとともに、前記低床空間部に、熱を発生する熱源設備を設け、該熱源装置により発生した熱を、前記低床空間部と前記高床空間部とを連通する開口部を通じて前記高床空間部に移動させる構成としたことを特徴とする建物。
【請求項２】
前記低床空間部を囲むようにして前記高床空間部を設けた請求項１に記載の建物。
【請求項３】
前記高床空間部を、前記低床空間部に対して高さ方向に一部重複して設け、低床空間部と高床空間部とを仕切る隔壁に前記開口部を設けた請求項１又は２に記載の建物。
【請求項４】
前記低床空間部は、当該低床空間部の床面を基準として構成される下階部分と、前記高床空間部の床面を基準として構成される上階部分とを連続する吹抜け空間である請求項１乃至３のいずれかに記載の建物。
【請求項５】
前記低床空間部の天井部と周囲の隔壁との少なくともいずれかに断熱手段を設けた請求項１乃至４のいずれかに記載の建物。
【請求項６】
前記低床空間部に隣接させて前記高床空間部を複数設けるとともに、同高床空間部ごとに前記開口部を設け、当該高床空間部ごとの開口部を選択的に開閉できる構成とした請求項１乃至５のいずれかに記載の建物。
【請求項７】
前記熱源設備は、加熱調理器等を有するキッチン設備である請求項１乃至６のいずれかに記載の建物。
【請求項８】
請求項１乃至７のいずれかに記載の建物に適用される気流制御システムであって、
前記開口部に設けられ、同開口部を開閉する開閉部材と、
前記熱源設備により発生した熱が前記低床空間部から前記高床空間部に移動するよう前記開閉部材の開閉制御を実行する制御手段と、
を備えることを特徴とする建物の気流制御システム。
【請求項９】
前記高床空間部における人の有無を判定する判定手段を備え、
前記制御手段は、前記高床空間部における人の有無に基づいて前記開閉部材を開放させる請求項８に記載の気流制御システム。
【請求項１０】
前記高床空間部について空調を行う時間帯をあらかじめ定めておき、
前記制御手段は、前記空調を行う時間帯において前記開閉部材を開放させる請求項８又は９に記載の気流制御システム。
【請求項１１】
前記低床空間部と前記高床空間部との温度差を検出する温度差検出手段を備え、
前記制御手段は、前記検出した温度差に基づいて前記開閉部材を開放させる請求項８乃至１０のいずれかに記載の気流制御システム。
【請求項１２】
前記制御手段は、前記低床空間部に隣接する複数の高床空間部にそれぞれ設けられる前記開口部の各開閉部材を選択的に開放又は閉鎖する請求項８乃至１１のいずれかに記載の気流制御システム。
【請求項１３】
前記高床空間部において、当該高床空間部と屋外空間とを隔てる外壁の開口部に屋外側開閉体を設け、
前記制御手段は、前記開閉部材の開放に合わせて前記屋外側開閉体を開放する請求項８乃至１２のいずれかに記載の気流制御システム。
【請求項１４】
前記制御手段は、前記高床空間部において暖気すべきエリアを挟む位置にある前記開閉部材と前記屋外側開閉体とを制御対象としてそれらを開放させる請求項１３に記載の気流制御システム。
【請求項１５】
前記高床空間部に、水平方向の気流を発生させるための気流発生手段を設け、
前記制御手段は、前記開閉部材の開閉制御に際し、前記気流発生手段によって高床空間部内の気流を発生させる請求項１３又は１４に記載の気流制御システム。
【発明の詳細な説明】
【技術分野】
【０００１】
本発明は、建物及び気流制御システムに関するものである。
【背景技術】
【０００２】
近年では、経済性、環境保全等の観点から、住宅等の建物において消費エネルギを低減させることが望まれており、エネルギ低減のための技術が各種提案されている。例えば、太陽熱や地中熱を利用して熱蓄積部にエネルギを蓄え、そのエネルギを用いて建物内の冷暖房を行う技術が提案されている（例えば特許文献１参照）。
【特許文献１】特開２００４−６９２７１号公報
【発明の開示】
【発明が解決しようとする課題】
【０００３】
しかしながら、上記特許文献１を含め既存の技術では、熱蓄積部（上記特許文献１では暖冷房塔部）に蓄えた熱を建物内に放出して暖房等に利用できるとしているものの、その熱利用できる範囲は、基本的に熱蓄積部に隣接する部屋に限られる。そのため、建物内に設けられた他の部屋（熱蓄積部に隣接していない部屋）について、いかに効率よく暖房等を行うかについては対策が不十分であり、それゆえに対策の余地があると考えられる。
【０００４】
本発明は、建物内で発生する熱の有効利用を図り、ひいては建物におけるエネルギ効率を向上させることができる建物及び気流制御システムを提供することを主たる目的とするものである。
【課題を解決するための手段】
【０００５】
以下、上記課題を解決するのに有効な手段等につき、必要に応じて作用、効果等を示しつつ説明する。なお以下では、理解を容易にするため、発明の実施形態において対応する構成例を括弧書き等で適宜示すが、この括弧書き等で示した具体的構成に限定されるものではない。
【０００６】
本発明の建物（建物１０）は、低床空間部（ダイニングキッチン１２）と、その低床空間部よりも床位置が高い高床空間部（居室２１〜２４）とを水平方向に隣接させて設けるとともに、前記低床空間部に、熱を発生する熱源設備（キッチン設備１６）を設け、該熱源装置により発生した熱を、前記低床空間部と前記高床空間部とを連通する開口部（開口部２１ｂ〜２４ｂ）を通じて前記高床空間部に移動させる構成としたことを特徴とする。
【０００７】
上記構成によれば、低床空間部に熱源設備を設けるとともに、低床空間部に水平方向に隣接して高床空間部を設けており、低床空間部内で発生した熱は、同低床空間部内を上昇し、さらに開口部を通じて高床空間部に流入する。これにより、低床空間部内の熱源設備により発生した熱を、高床空間部の暖気に効率よく利用することが可能となる。その結果、建物内で発生する熱の有効利用を図り、ひいては建物におけるエネルギ効率を向上させることができる。
【０００８】
前記低床空間部を囲むようにして前記高床空間部を設けることが好ましい。これによれば、熱源設備を有する空間部（低床空間部）が他の空間部（高床空間部）で囲まれることとなり、熱が屋外に無駄に逃げてしまうことが抑制されて、低床空間部内における熱の保温効果が期待できる。また、低床空間部の周囲に高床空間部が配されることで、任意の高床空間部に対して（例えば、複数ある高床空間部のいずれかに対して）熱移動を行おうとする場合にも、その熱移動部位を設定しやすくなり、好都合な構成となる。
【０００９】
前記高床空間部を、前記低床空間部に対して高さ方向に一部重複して設け、低床空間部と高床空間部とを仕切る隔壁に前記開口部を設けることが好ましい。これにより、低床空間部から高床空間部に向けて気流が発生しやすい構造となり、効率よく熱移動を行わせることができる。
【００１０】
ここで、前記低床空間部は、当該低床空間部の床面を基準として構成される下階部分と、前記高床空間部の床面を基準として構成される上階部分とを連続する吹抜け空間であるとよい。
【００１１】
前記低床空間部の天井部と周囲の隔壁との少なくともいずれかに断熱手段を設けることが好ましい。この場合、低床空間部と高床空間部とが隣接する部位では、それら両空間部を仕切る隔壁に断熱手段を設けるとよい。これにより、低床空間部内における熱の損失を少なくすることができ、熱効率が一層向上する。
【００１２】
例えば、低床空間部の真上が屋根部（又は屋上部）となっている建物では、その屋根部に断熱手段を施すとよい。特に、低床空間部の真上が陸屋根となっている建物では、屋上部分を屋上庭園とすることで屋上断熱を実現することが望ましい。
【００１３】
前記低床空間部に隣接させて前記高床空間部を複数設けるとともに、同高床空間部ごとに前記開口部を設け、当該高床空間部ごとの開口部を選択的に開閉できる構成とした。これにより、複数の高床空間部のうち、ユーザが望む高床空間部についてのみ暖気を行うことが可能となる。したがって、建物内のユーザにとっての快適性が向上する。
【００１４】
前記熱源設備は、加熱調理器等を有するキッチン設備（キッチン設備１６）であることが好ましい。この場合、キッチン設備で発生した熱を利用して、高床空間部を効率よく暖気できる。低床空間部を囲むようにして高床空間部を設ける場合には、キッチンが高床空間部で囲まれることとなり、キッチン（ダイニング一体のダイニングキッチン含む）の熱が屋外に無駄に逃げてしまうことが抑制されて、キッチン内における熱の保温効果が期待できる。
【００１５】
上記のようにキッチンが高床空間部で囲まれる場合、換言すれば建物中央にキッチンが設置される構造となる。
【００１６】
ここで、低床空間部をキッチン（ダイニングキッチン）、高床空間部を各ユーザの居室とした場合を考える。この場合、各ユーザは、キッチン（ダイニングキッチン）で食事をした後、各自の居室に移動することが想定されるが、上記構成によれば、キッチン（ダイニングキッチン）から居室へのユーザの移動に合わせて、キッチン（ダイニングキッチン）から居室への熱移動が可能となる。したがって、実用上望ましい構成を実現することができる。
【００１７】
上記のごとく構成される建物においては、以下の気流制御システムが適用されることが望ましい。すなわち、かかる気流制御システムは、前記開口部に設けられ、同開口部を開閉する開閉部材（開閉部材２１ｃ〜２４ｃ）と、前記熱源設備により発生した熱が前記低床空間部から前記高床空間部に移動するよう前記開閉部材の開閉制御を実行する制御手段（コントローラ５０）と、を備えることを特徴とする。
【００１８】
上記構成によれば、制御手段によって開閉部材が自動開閉されることにより、低床空間部から高床空間部に向けて気流を発生させることができ、低床空間部から高床空間部への熱移動が行われる。したがって、ユーザにとって都合良く高床空間部の暖気を行わせることが可能となる。
【００１９】
気流制御の具体的内容として、以下の（１）〜（３）の各手法が適用できる。これら各手法のいずれか１つ又はそれらの組み合わせにより気流制御が実行されるとよい。
【００２０】
（１）高床空間部における人の有無を判定する判定手段（人感センサ４４〜４６及びコントローラ５０）を備え、高床空間部における人の有無に基づいて前記開閉部材を開放させる。例えば、冬季においては、高床空間部に人がいると判定した場合に、開閉部材を開放させる。これにより、高床空間部に人がいない場合に無駄に暖気を行うことを抑制することができる。また、夏季においては上記とは逆に、高床空間部に人がいないと判定した場合に、開閉部材を開放させる。これにより、高床空間部にいる人が熱気により不快感を覚えることが抑制できる。
【００２１】
（２）高床空間部について空調を行う時間帯をあらかじめ定めておき、前記空調を行う時間帯において前記開閉部材を開放させる。これにより、高床空間部に実際に人が移動する以前に高床空間部の暖気を行うことが可能となる。
【００２２】
（３）低床空間部と高床空間部との温度差を検出する温度差検出手段（温度センサ４１〜４３及びコントローラ５０）を備え、その温度差に基づいて前記開閉部材を開放させる。例えば、低床空間部と高床空間部との温度差ΔＴ（＝低床側温度−高床側温度）が所定の判定値（例えば５℃）である場合に、開閉部材を開放させる。これにより、低床空間部内の熱を高床空間部にて有効に用いることができる。
【００２３】
また、低床空間部に隣接する複数の高床空間部を有する建物においては、それら複数の高床空間部にそれぞれ設けられる開口部の各開閉部材を選択的に開放又は閉鎖するとよい。これにより、複数の高床空間部について個別に、低床空間部内の熱による暖気を行うことができ、建物内のユーザにとっての快適性が一層向上する。
【００２４】
また、高床空間部において、当該高床空間部と屋外空間とを隔てる外壁の開口部に屋外側開閉体（サッシ戸６１，６２，７４，７６）を設け、前記開閉部材の開放に合わせて前記屋外側開閉体を開放するとよい。これにより、高床空間部において、低床空間部側からの空気の流入と屋外側への空気の排出とが同時に行われ、高床空間部内における気流の発生を促すことができる。したがって、低床空間部から上昇気流とともに高床空間部内に流入した熱を、高床空間部内において横方向（水平方向）に伝播させ、それに伴い高床空間部内の暖気を効率よく行わせることができる。
【００２５】
ここで、前記高床空間部において暖気すべきエリアを挟む位置にある前記開閉部材と前記屋外側開閉体と（例えば図７のサッシ戸７３とサッシ戸７４）を制御対象としてそれらを開放させるとよい。これにより、都度暖気すべきエリアに暖気気流を生じさせることができ、当該エリアについて好適なる暖気を行うことができる。
【００２６】
前記高床空間部に、水平方向の気流を発生させるための気流発生手段（送風機７７，７８）を設け、前記開閉部材の開閉制御に際し、前記気流発生手段によって高床空間部内の気流を発生させることが好ましい。これにより、高床空間部内においてより積極的にかつ広域で気流を発生させることができ、高床空間部内における暖気を好適に行うことができる。
【発明を実施するための最良の形態】
【００２７】
（第１の実施形態）
以下、本発明を具体化した第１の実施形態を図面に基づいて説明する。本実施形態では、本発明を３階建ての戸建て住宅に適用した事例について説明する。図１は、建物１０の縦断面を示す図面であり、図２は建物１０の一階部分、二階部分及び三階部分（屋上階部分）の各間取りを示す平面図である。なお、図１は、図２におけるＡ−Ａ線断面図に相当する。
【００２８】
建物１０において、一階部分には玄関ホール１１、ダイニングキッチン１２、居室１３，１４、トイレ１５等が設けられている。ダイニングキッチン１２は建物１０のほぼ中央に設けられており、ダイニングキッチン１２を囲むようにして玄関ホール１１、居室１３，１４、トイレ１５等が配置されている。ダイニングキッチン１２は、一階部分及び二階部分で連続する吹抜け空間となっている。また、ダイニングキッチン１２の床上には、ガスコンロや電磁調理器、オーブン等の加熱調理機器１６ａ及びシンク１６ｂを備えてなるキッチン設備１６が設置されている。その他、ダイニングキッチン１２には、二階部分に通じる階段１７，１８が設けられている。なお便宜上、一階部分において各空間部に通じる開口部（出入り口等）の図示は省略している。
【００２９】
また、二階部分には、ダイニングキッチン１２の二階吹抜け部を囲むようにして居室２１，２２，２３，２４が設けられている。すなわち、各居室２１〜２４は、ダイニングキッチン１２の二階吹抜け部に水平方向に隣接して設けられている。各居室２１〜２４は、例えば、住人にそれぞれ割り振られた部屋である。各居室２１〜２４には、それぞれ可動式又は着脱式の間仕切り壁２１ａ，２２ａ，２３ａ，２４ａが設けられており、各間仕切り壁２１ａ〜２４ａを装着することにより各居室２１〜２４がそれぞれ２分割され、各間仕切り壁２１ａ〜２４ａを取り外すことにより各居室２１〜２４の部屋広さを拡張することが可能になっている。本実施形態では、ダイニングキッチン１２が「低床空間部」に相当し、各居室２１〜２４が「高床空間部」に相当する。
【００３０】
居室２１，２４には、２階の階段フロア２５，２６と居室内との間を出入りするための出入り口２１ｂ，２４ｂが形成され、その出入り口２１ｂ，２４ｂにドア２１ｃ，２４ｃが設けられている。また、居室２２，２３とダイニングキッチン１２の二階吹抜け部とを仕切る隔壁には窓部２２ｂ，２３ｂが形成され、その窓部２２ｂ，２３ｂにガラス戸等のサッシ戸２２ｃ，２３ｃが設けられている。サッシ戸２２ｃ，２３ｃとしては引き違い式、押し出し式、片開き式などが採用できる。なお以下の記載では、出入り口２１ｂ，２４ｂ及び窓部２２ｂ，２３ｂを「開口部２１ｂ〜２４ｂ」、ドア２１ｃ，２４ｃ及びサッシ戸２２ｃ，２３ｃを「開閉部材２１ｃ〜２４ｃ」とも言うこととする。図２では、居室２２，２３への出入り口については図示を省略している。
【００３１】
各居室２１〜２４は、二階部分及び三階部分で連続する吹抜け空間となっており、三階部分にはロフト３１，３２，３３，３４が設けられている。
【００３２】
ダイニングキッチン１２は、建物１０のほぼ中央に設けられることで断熱効果が期待できる。また、その断熱性を一層高めるべく、ダイニングキッチン１２とそれを囲む各部屋との間の隔壁には高断熱材が配設されている。加えて、各居室２１〜２４の周囲の壁にも高断熱材が配設されている。
【００３３】
三階部分（屋上階）において、ダイニングキッチン１２の上方には屋上フロア３５が設けられている。本建物１０では、屋上フロア３５を屋上庭園としており、同フロアのほぼ全面に芝生や各種植物が植えられている。屋上フロア３５を屋上庭園とすることにより、ダイニングキッチン１２の天井部における高断熱化が図られている。
【００３４】
図３は、本建物１０の外観を模式的に示す斜視図である。同図３に示すように、建物１０は大別して、ダイニングキッチン１２を構成する中央ブロックＢ１と、一階〜三階部分の各居室等を有する周囲ブロックＢ２，Ｂ３とからなり、中央ブロックＢ１を、平面視Ｌ形をなす周囲ブロックＢ２，Ｂ３で囲むようにして構築されている。すなわち、ダイニングキッチン１２が建物中央に設置される構造となっている。
【００３５】
本実施形態では、建物１０において、ダイニングキッチン１２のキッチン設備１６（加熱調理機器１６ａ）にて発生した熱を、二階の各居室に適宜移動させることで熱の有効利用を図ることとしており、その熱移動のために気流制御を実行する。以下、その詳細を説明する。
【００３６】
図４は、気流制御システムの電気的構成を示す図である。なお図４では、説明の便宜上、ダイニングキッチン１２とそれに隣接する二階の居室２２，２３についてのみシステム構成を示している。他の二階の居室２１，２４については、説明が重複するため省略する。
【００３７】
図４において、ダイニングキッチン１２及び二階の各居室２２，２３にはそれぞれ温度センサ４１，４２，４３が設けられており、これら各センサ４１〜４３にて検出された温度情報はコントローラ５０に適宜入力される。また、同じくダイニングキッチン１２及び二階の各居室２２，２３にはそれぞれ人感センサ４４，４５，４６が設けられており、各センサ４４〜４６にて検出された人検知情報はコントローラ５０に適宜入力される。各居室２２，２３に設けられたサッシ戸２２ｃ，２３ｃには、駆動アクチュエータとしてモータ４７，４８が設けられており、モータ４７，４８が駆動されることでサッシ戸２２ｃ，２３ｃの開閉が行われるようになっている。
【００３８】
コントローラ５０には、上述した各センサの検出信号以外に、キッチン設備１６の使用状況に関する情報が入力される。例えば、熱源である加熱調理機器１６ａが運転されていること（加熱調理中であること）等を示す熱源情報が入力される。
【００３９】
コントローラ５０は、ＣＰＵやメモリ等からなる周知のマイクロコンピュータを有する演算装置であり、前述した各センサ４１〜４６の検出信号に基づいてサッシ戸２２ｃ，２３ｃの開閉制御を実行する。
【００４０】
また本実施形態では、各居室に設けた換気窓のサッシ戸（前述した図１，図２では図示略）についても開閉制御を実行することとしており、図４には、居室２２，２３の上部（三階部分の高さ）に設けられた換気窓のサッシ戸６１，６２と、そのサッシ戸６１，６２を開閉駆動するモータ６３，６４とを示している。コントローラ５０は、サッシ戸２２ｃ，２３ｃの開閉制御に合わせて換気窓のサッシ戸６１，６２についても開閉制御を適宜実行する。
【００４１】
図５は気流制御の処理手順を示すフローチャートであり、本処理はコントローラ５０によって所定の時間周期で実行される。本処理は、冬季などにおいて二階の各居室２１〜２４を積極的に暖気する場合の気流制御について示す。なおここでも、便宜上、ダイニングキッチン１２と二階の各居室２２，２３のみについて説明する。
【００４２】
図５において、ステップＳ１１では、各部屋の温度情報を取得する。すなわち、温度センサ４１〜４３の検出信号に基づいてダイニングキッチン１２の室内温度Ｔ１、居室２２の室内温度Ｔ２及び居室２３の室内温度Ｔ３を算出する。また、ステップＳ１２では、人感センサ４４〜４６の検出信号に基づいてダイニングキッチン１２及び二階の各居室２２，２３における在室状況をモニタする。
【００４３】
その後、ステップＳ１３では、ダイニングキッチン１２の室内温度Ｔ１とあらかじめ定めた基準温度ＲＥＦとを比較し、Ｔ１＞ＲＥＦであるか否かを判定する。基準温度ＲＥＦは、ダイニングキッチン１２内に滞在する熱を他の部屋で利用できるかどうかを判定する温度であり、例えば２０℃程度の温度値とされる。そして、Ｔ１＞ＲＥＦであることを条件に、後続の処理を実行する。「Ｔ１＞ＲＥＦ？」の判定に代えて、加熱調理機器１６ａが所定時間以上継続して運転されたかどうかを判定することも可能である。
【００４４】
ステップＳ１３がＮＯであればそのまま本処理を終了する。すなわち、居室２２，２３のサッシ戸２２ｃ，２３ｃは開放されない。ステップＳ１３がＹＥＳであれば後続のステップＳ１４に進む。
【００４５】
ステップＳ１４〜Ｓ１６では、居室２２についてサッシ戸２２ｃの開閉処理を実行する。すなわち、ステップＳ１４では、ダイニングキッチン１２の室内温度Ｔ１と居室２２の室内温度Ｔ２とを比較し、Ｔ１＞Ｔ２＋α（例えばα＝５℃）であるかを判定する。また、ステップＳ１５では、居室２２に人がいるか否かを判定する。そして、ステップＳ１４，Ｓ１５が共にＹＥＳであれば、ステップＳ１６に進み、居室２２のサッシ戸２２ｃを開放する。
【００４６】
また、ステップＳ１７〜Ｓ１９では、居室２３についてサッシ戸２３ｃの開閉処理を実行する。すなわち、ステップＳ１７では、ダイニングキッチン１２の室内温度Ｔ１と居室２３の室内温度Ｔ３とを比較し、Ｔ１＞Ｔ３＋β（例えばβ＝５℃）であるかを判定する。また、ステップＳ１８では、居室２３に人がいるか否かを判定する。そして、ステップＳ１７，Ｓ１８が共にＹＥＳであれば、ステップＳ１９に進み、居室２３のサッシ戸２３ｃを開放する。
【００４７】
居室２２，２３について共にサッシ戸の開放条件が成立する場合、いずれかを優先して暖気する構成であってもよい。例えば、室内温度の低い方を優先して暖気する（すなわちサッシ戸を開放する）。又は、あらかじめ定めた優先順序に基づいて居室２２，２３のいずれかを暖気する（すなわちサッシ戸を開放する）。
【００４８】
なお、ステップＳ１４，Ｓ１７の温度判定に用いる所定値α，βは、α＝βとしてよいが、α≠βであってもよい。α≠βとすることにより、居室２２，２３についていずれかを優先して暖気することが可能となる。すなわち、例えばα＞βであれば、ステップＳ１４よりもステップＳ１７の方が成立しやすくなり、居室２３について優先して暖気が行われることとなる。
【００４９】
図５のフローチャートにおいて、ダイニングキッチン１２に人がいるかどうか（残っているかどうか）を判定するステップを追加し、ダイニングキッチン１２に人がいる場合には、居室２２，２３のサッシ戸２２ｃ，２３ｃを開放しない構成としてもよい。これにより、ダイニングキッチン１２が保温された状態で保持される。
【００５０】
建物１０における気流の発生状況について図６を用いて説明する。
【００５１】
図６において（ａ）は、Ｔ１≦ＲＥＦである場合、Ｔ１≦Ｔ２＋αかつＴ１≦Ｔ３＋βである場合、又は居室２２，２３に誰もいない場合について示しており、かかる場合には各居室２２，２３のサッシ戸２２ｃ，２３ｃが共に閉鎖されている。これにより、ダイニングキッチン１２→居室２２，２３への上昇気流、すなわち熱移動は発生しない。
【００５２】
これに対し、（ｂ）は、居室２２についてのサッシ戸の開放条件が成立している場合を示しており、かかる場合には居室２２のサッシ戸２２ｃが開放される。これにより、ダイニングキッチン１２→居室２２への上昇気流が発生し、それに伴う熱移動によって居室２２が暖気される。なお、図示のごとく気流を発生させる場合、換気窓のサッシ戸６１を開放させ、それによって気流の発生を促すようにすることも可能である。
【００５３】
また、（ｃ）は、居室２２，２３についてのサッシ戸の開放条件がいずれも成立している場合を示しており、かかる場合には各居室２２，２３のサッシ戸２２ｃ，２３ｃが共に開放される。これにより、ダイニングキッチン１２→居室２２、及びダイニングキッチン１２→居室２３への上昇気流が発生し、それに伴う熱移動によって居室２２，２３が暖気される。なお、図示のごとく気流を発生させる場合、換気窓のサッシ戸６１，６２を開放させ、それによって気流の発生を促すようにすることも可能である。
【００５４】
上記図５のように、各居室２２，２３に実際に人がいることを条件に気流制御を実行して二階居室を暖気すること以外に、各ユーザ（住人）の行動を予測したりすることにより、各居室２２，２３に人が移動する前に気流制御を実行して二階居室を暖気することも可能である。
【００５５】
具体的には、１日の時間帯に応じて気流制御を実行する。例えば、夕食時に、ダイニングキッチン１２に各住人が集まって食事をする場合、その住人は食事を終えた後、各自の部屋に戻ることが想定される。それゆえに、夕食後に二階居室を暖気するようなタイムスケジュールを設定しておき、そのタイムスケジュールに基づいて建物内気流制御を実行するとよい。暖気の時間帯は、居室ごとに設定されることが望ましい。具体的事例を挙げると、ダイニングキッチン１２に住人が集まって夕食をとる夕食時間帯（ｐｍ７：００〜８：００）においては図６（ａ）の状態とし、夕食後の時間帯（ｐｍ８：００〜９：００）においては図６（ｂ）又は（ｃ）の状態とする。あるいは、住人の就寝時間帯に合わせて各居室２１〜２４を暖気するようにしてもよい。
【００５６】
夏季については、冬季とは逆に、各居室２２，２３に人がいる時にダイニングキッチン１２→居室２２，２３への熱の移動は却って不都合であるため、サッシ戸の開放条件が相違する。
【００５７】
例えば、各居室２２，２３に人がいないと判定した場合に、サッシ戸を開放させ、ダイニングキッチン１２→居室２２，２３への熱の移動を行わせる。これにより、ダイニングキッチン１２内の熱を各居室２２，２３を介して逃がすことができる。このとき、各居室２２，２３に人がいれば、上記の熱移動は行われないため、各居室２２，２３にいる人が熱気により不快感を覚えることが抑制できる。
【００５８】
以上詳述した本実施形態によれば、以下の優れた効果が得られる。
【００５９】
建物１０において、ダイニングキッチン１２内で発生した熱を、ダイニングキッチン１２と二階の各居室２１〜２４とを連通する開口部２１ｂ〜２４ｂを通じて各居室２１〜２４に移動させる構成としたため、ダイニングキッチン１２内の熱を、各居室２１〜２４の暖気に効率よく利用することが可能となる。このとき、ダイニングキッチン１２を吹抜け空間とし、その二階吹抜け部を囲むようにして、熱の移動先である各居室２１〜２４を設けたため、上昇気流に乗せて熱移動を行わせることができる。その結果、建物１０内で発生する熱の有効利用を図り、ひいては建物１０におけるエネルギ効率を向上させることができる。つまり、建物１０における消費エネルギの削減を図ることができ、経済的に有益でかつ環境保全の観点からも良好な建物を実現できる。
【００６０】
ダイニングキッチン１２を囲むようにして各居室２１〜２４を設ける構成としたため、ダイニングキッチン１２内の熱が屋外に無駄に逃げてしまうことが抑制され、同ダイニングキッチン１２内における熱の保温効果が期待できる。
【００６１】
また、断熱対策として、ダイニングキッチン１２の周囲の壁部に高断熱材を配設するとともに、ダイニングキッチン１２直上の屋上フロアを屋上庭園とした。これにより、ダイニングキッチン１２内における熱の損失を少なくすることができ、熱効率が一層向上する。
【００６２】
また、建物１０内の気流制御を実行する気流制御システムとして、二階の各居室２１〜２４に設けた開閉部材２１ｃ〜２４ｃについて自動開閉制御を実行する構成としたため、ユーザ（住人）の特別な操作を伴うことなく、ダイニングキッチン１２から各居室２１〜２４に向けて気流を発生させることができる。したがって、ユーザにとって都合良く各居室２１〜２４の暖気を行わせることができる。
【００６３】
ダイニングキッチン１２は、冬季等において食事又はその前後には暖められるとよいが、それ以外は暖められた状態のままにしておかなくてもよいと考えられる。そのため、上記のとおりダイニングキッチン１２内の熱を利用して他の部屋を暖めることは実用上望ましいことであると言える。
【００６４】
ダイニングキッチン１２から各居室２１〜２４への気流（暖気気流）を発生させる条件として、
・ダイニングキッチン１２の室内温度Ｔ１が基準温度ＲＥＦよりも高いこと、
・二階の各居室２１〜２４（暖気しようとする部屋）に人がいること、
・ダイニングキッチン１２と各居室２１〜２４との温度差（＝Ｔ１−Ｔ２等）が所定値（上述したα，β）よりも大きいこと、
をそれぞれ判定し、それら各条件が成立する場合に、開閉部材２１ｃ〜２４ｃを開放させる構成とした。これにより、ダイニングキッチン１２内の熱を各居室２１〜２４の暖気に有効に用いることができる。また、各居室２１〜２４に人がいないのに無駄に暖気が行わることを抑制できる。
【００６５】
また、各居室２１〜２４について個別に開閉部材２１ｃ〜２４ｃの開放条件を判定する構成としたため、その居室ごとに暖気を行うことができ、ユーザ（住人）にとって快適性を向上させることができる。
【００６６】
各居室２１〜２４について暖気を行う時間帯をあらかじめ定めておく構成にすれば、各居室２１〜２４に実際に人が移動する以前に、それら各居室２１〜２４の暖気を行うことが可能となる。
【００６７】
（第２の実施形態）
次に、第２の実施形態について第１の実施形態との相違点を中心に説明する。
【００６８】
本実施形態では、二階の各居室２１〜２４についての暖気に関し、図７に示す構成を採用する。図７は二階部分の間取りを示す平面図である。図７は、先に説明した図２の二階部分構造に相当するものであるが、ここでは説明の便宜上、Ｌ形をなす２つの居室７１，７２を設けた構造を図示している。すなわち、ダイニングキッチン１２は、２つのＬ形居室７１，７２により囲まれる構造となっている。なお、居室７１は前述の居室２１，２２に相当し、居室７２は前述の居室２３，２４に相当する。
【００６９】
図７に示すように、二階の居室７１において、ダイニングキッチン１２に通じる開口部（図示略）にはサッシ戸７３（前述のサッシ戸２２ｃに相当）が設けられるとともに、屋外に通じる開口部（図示略）にはサッシ戸７４が設けられている。また、居室７２において、ダイニングキッチン１２に通じる開口部（図示略）にはサッシ戸７５（前述のサッシ戸２３ｃに相当）が設けられるとともに、屋外に通じる開口部（図示略）にはサッシ戸７６が設けられている。これら各サッシ戸７３〜７６は、それぞれコントローラ５０（図４参照）からの指令により開閉されるようになっている。
【００７０】
ここで特に、居室７１のサッシ戸７３，７４は、建物の平面視で居室７１の長手方向に互いにオフセットした位置に設けられている。居室７２のサッシ戸７５，７６についても同様である。
【００７１】
さらに、各居室７１，７２にはそれぞれ送風機７７，７８が設けられている。送風機７７，７８はコントローラ５０からの指令によりオン（駆動）／オフ（駆動停止）され、オンされることで、各居室７１，７２内において所定方向の気流が生じる構成となっている。この場合、送風機７７，７８がオンされると、各居室７１，７２において平面視で時計回り方向の気流が発生する。
【００７２】
コントローラ５０による気流制御においては、例えば居室７１の暖気実行条件が成立した場合に（図５のステップＳ１３〜Ｓ１５参照）、その居室７１に設けられたサッシ戸７３，７４をいずれも開放するとともに、送風機７７をオンする。他方の居室７２についても同様の制御を実行する。
【００７３】
上記の気流制御によれば、図７に示す矢印Ｙ１，Ｙ２のように横方向の気流が生じる。これにより、ダイニングキッチン１２から上昇気流とともに流入した熱を、各居室７１，７２内において横方向に伝播させることができ、各居室７１，７２内の暖気をいち早く行うことが可能となる。この場合特に、居室７１についてはサッシ戸７３，７４に挟まれたエリアがいち早く暖気され、居室７２についてはサッシ戸７５，７６に挟まれたエリアがいち早く暖気される。
【００７４】
なお、居室７１の送風機７７がオンされる場合に、同居室７１のサッシ戸７３，７４をともに開放することに代えて、屋内側（ダイニングキッチン１２側）のサッシ戸７３のみを開放する構成であってもよい。本構成では、ダイニングキッチン１２から流入した熱が居室７１内を循環するため、同居室７１内の全体を暖気させることが可能となる。他方の居室７２についても同様である。
【００７５】
以上詳述した第２の実施形態によれば、第１の実施形態の効果に加え、以下の効果が得られる。居室７１，７２の暖気実行条件が成立した場合に、各居室のサッシ戸７３〜７６を開放するとともに、送風機７７，７８をオンする構成としたため、居室７１，７２内における気流の発生を促すことができる。したがって、居室７１，７２の暖気を効率よく行わせることができる。
【００７６】
（別の実施形態）
本発明は上記実施形態の記載内容に限定されず、例えば次のように実施されても良い。
【００７７】
上記実施形態では、ダイニングキッチン１２から各居室２１〜２４への気流（暖気気流）を発生させる条件として、
・ダイニングキッチン１２の室内温度Ｔ１が基準温度ＲＥＦよりも高いこと、
・二階の各居室２１〜２４（暖気しようとする部屋）に人がいること、
・ダイニングキッチン１２と各居室２１〜２４との温度差が所定値よりも大きいこと、
・ダイニングキッチン１２に人がいないこと、
をそれぞれ判定したが、この条件を変更してもよい。上記各条件のうち、少なくとも１つが満たされたことを条件に、ダイニングキッチン１２から各居室２１〜２４への気流（暖気気流）を発生させるように構成してもよい。
【００７８】
ダイニングキッチン１２と二階の各居室２１〜２４とを連通する各開口部や、同開口部に設けられる開閉部材の形態は、ダイニングキッチン１２→各居室２１〜２４の熱の移動が可能となるものであれば任意に変更できる。例えば、開口部としてダイニングキッチン１２と各居室２１〜２４とを結ぶ連通路（通気ダクトでも可）を設けたり、開口部に、長尺状をなす多数のスラットからなるシャッタ式の開閉部材を設けたりすることも可能である。
【００７９】
上記実施形態では、「低床空間部」として一階・二階吹抜けのダイニングキッチン１２を設けるとともに、「高床空間部」として二階の各居室２１〜２４を設けたが、これを変更する。例えば、一階部分（又は二階部分）の中間高さ位置にスキップ床を設けてその階床をスキップ階とし、同スキップ階に形成される空間部を高床空間部とすることも可能である。一階部分にスキップ階を設ける場合、ダイニングキッチン１２を一階・二階吹抜け空間とせず、一階部分の階高を有するキッチン空間（一般的なキッチンスペース）としてもよい。
【００８０】
上記実施形態では、ダイニングキッチン１２に設置されるキッチン設備１６を熱源設備としたが、これを変更してもよい。例えば、ダイニングキッチン１２に設置される床暖房設備、地熱暖房設備などの空調設備を熱源設備とする。
【００８１】
「低床空間部」は、キッチン以外の空間部、例えばリビングであってもよい。本構成であっても、低床空間部内に熱源設備が設けられるとともに、その熱源設備の熱が低床空間部から高床空間部へ移動する構成とすることで、上記のとおり優れた効果を得ることができる。
【００８２】
上記実施形態の建物１０では、ダイニングキッチン１２を形成する構造部（図３の中央ブロックＢ１参照）を、一階〜三階部分の各居室等を有し平面視Ｌ形をなす２つの構造部（図３の周囲ブロックＢ２，Ｂ３参照）で囲み、それによりダイニングキッチン１２を建物中央に設置する構造としたが、これを変更する。例えば、ダイニングキッチン１２を形成する構造部を、環状の建物構造部で囲む構造としてもよい。すなわち、これは、図２において居室２１，２３間の隙間部分、居室２２，２４間の隙間部分をいずれも無くして連続させた構造に相当する。
【００８３】
また、ダイニングキッチン１２（低床空間部）を建物中央に設置する構造に代えて、同ダイニングキッチン１２を建物の隅部に設置してもよい。本構造の建物であっても、上述のとおり低床空間部と高床空間部とを隣接して設け、その両空間部での熱移動を行わせることにより、所望とする熱の有効利用が可能となる。
【００８４】
二階建て建物に適用することも可能である。この場合、例えば図１等に示す建物１０の三階部分を削除したものが適用できる。ただし、熱の移動が効率よく行われるようにするには、低床空間部と高床空間部との天井高さが、後者の方が大きい建物であることが望ましい。
【図面の簡単な説明】
【００８５】
【図１】建物の構成を示す縦断面図。
【図２】建物の一階部分、二階部分及び三階部分（屋上階部分）の各間取りを示す平面図。
【図３】建物の外観を模式的に示す斜視図。
【図４】気流制御システムの電気的構成を示す図。
【図５】気流制御の処理手順を示すフローチャート。
【図６】建物における気流の発生状況を説明するための図。
【図７】第２の実施形態における気流の発生状況を説明するための図。
【符号の説明】
【００８６】
１０…建物、１２…ダイニングキッチン、１６…キッチン設備、１６ａ…加熱調理機器１６、２１〜２４…居室、２１ｂ〜２４ｂ…開口部、２１ｃ〜２４ｃ…開閉部材、４１〜４３…温度センサ、４４〜４６…人感センサ、５０…コントローラ、６１，６２…サッシ戸、７１，７２…居室、７３〜７６…サッシ戸、７７，７８…送風機。
【図１】
2008285913.tif 000003
【図２】
2008285913.tif 000004
【図３】
2008285913.tif 000005
【図４】
2008285913.tif 000006
【図５】
2008285913.tif 000007
【図６】
2008285913.tif 000008
【図７】
2008285913.tif 000009